(57)【要約】【課題】本発明の課題は、一対の柱状体を簡単に強固に接合することにある。【解決手段】一対の柱状体２４，３１を接合する場合、一方の柱状体３１の接合面３１ｃ，３１ｄ，３１ｅを側断面略Ｚ形または略逆Ｚ形に切り欠き、他方の柱状体２４の接合面２４ｃ，２４ｄ，２４ｅを該一方の柱状体の接合面形状に対応して側断面略Ｚ形または略逆Ｚ形状に切り欠き、該接合面同士を合わせてビスまたはボルト６１Ａ−ナット６１Ｂで締結固定する。該接合面は傾斜接合面２４ｄ，３１ｄを有し、該傾斜接合面同士を合わせて締結するので、横方向の締め付け力Ｆに加え、垂直方向の分力Ｆｙが発生し、柱状体２４，３１は強固に接合される。【選択図】　　図６
2004100730.tif 000002
【特許請求の範囲】
【請求項１】
一対の柱状体を接合する場合、一方の柱状体の接合面を側断面略Ｚ形または略逆Ｚ形に切り欠き、他方の柱状体の接合面を該一方の柱状体の接合面形状に対応して側断面略Ｚ形または略逆Ｚ形状に切り欠き、該接合面同士を合わせてビスまたはボルト−ナットで締結固定したことを特徴とする接合構造。
【請求項２】
該一対の柱状体のうちどちらか一方の柱状体を基礎側とした請求項１に記載の接合構造。
【請求項３】
該一対の柱状体のうちどちらか一方の柱状体は基礎である便器本体の後端部両側から立設されており、他方の柱状体は該便器本体の後端部に取り付けられている背もたれの両脚部である請求項２に記載の接合構造。
【発明の詳細な説明】
【０００１】
【産業上の利用分野】
本発明は特に木製簡易便器の背もたれ脚部の接合構造に関するものである。
【０００２】
【発明の背景】
一般に木製の簡易便器の背もたれは、本体の後脚と一体に構成されているが、該簡易便器を持ち運んだり、収納したりする際、該背もたれが邪魔になりやすい。
【０００３】
【従来の技術】
そこで図１０に示すように背もたれ（９３）を簡易便器本体（９１）に取り外し可能に接合した構成の簡易便器（９）　が提供されている。すなわち該簡易便器（９）　は図１１に示すように簡易便器本体（９１）の後端部両側から板状の基礎側柱部（９２）が立設され、該基礎側柱部（９２）の内側には連結板（９５）の下半部が嵌合する嵌合凹部（９２ａ）　が設けられ、該基礎側柱部（９２）の上端面（９２ｄ）　には前後一対のダボ孔（９２ｂ）　が設けられている。他方背もたれ（９３）の脚部（９４）の下端部の内側には連結板（９５）の上半部が嵌合する嵌合凹部（９４ａ）　が設けられ、該脚部（９４）の下端面（９４ｄ）　には一対のダボ（９４ｂ）　が突設されており、該ダボ（９４ｂ）　が該基礎側柱部（９２）のダボ孔（９２ｂ）　に嵌合するとともに、嵌合凹部（９２ａ，９４ａ）　には連結板（９５）が嵌合し、該連結板（９５）および嵌合凹部（９２ａ，９４ａ）　に設けられているビス孔（９２ｃ，９４ｃ）　にビス（９６）が止着されて、該基礎側柱部（９２）と脚部（９４）が接合されている。
【０００４】
上記先行技術は文献公知発明にかかるものではないので、記載すべき先行技術文献はない。
【０００５】
【発明が解決しようとする課題】
しかしこのように基礎側柱部（９２）と脚部（９４）とを連結板（９５）により接合する構成は、固定強度が弱く、接合面（９２ｄ，９４ｄ）　に隙間が生じて背もたれ（９３）にグラツキが生じ易いという問題点があった。
また固定強度を高くするためより多数のビス（９６）を取り付けると、背もたれ（９３）の取付け取り外し作業に手間がかかり、さらに連結板（９５）を要するため、コストが高くなるという問題点もあった。
【０００６】
【課題を解決するための手段】
本発明は上記従来の課題を解決するための手段として、一対の柱状体（２４，３１）　を接合する場合、一方の柱状体（３１）の接合面（３１ｃ，３１ｄ，３１ｅ）　を側断面略Ｚ形または略逆Ｚ形に切り欠き、他方の柱状体（２４）の接合面（２４ｃ，２４ｄ，２４ｅ）　を該一方の柱状体（３１）の接合面（３１ｃ，３１ｄ，３１ｅ）　形状に対応して側断面略Ｚ形または略逆Ｚ形状に切り欠き、該接合面（２４ｃ，２４ｄ，２４ｅ，３１ｃ，３１ｄ，３１ｅ）　同士を合わせてビスまたはボルト（６１Ａ）　−ナット（６１Ｂ）　で締結固定した接合構造を提供するものである。
上記接合構造は該一対の柱状体（２４，３１）　のうちどちらか一方の柱状体（２４）を基礎側とする場合に適用でき、さらに該一対の柱状体（２４，３１）　のうちどちらか一方の柱状体（２４）は基礎である便器本体（２）　の後端部両側から立設されており、該他方の柱状体（３１）は該便器本体（２）　の後端部に取り付けられている背もたれ（３）　の両脚部（３１）である場合に適用できる。
【０００７】
【作用】
本発明の接合構造は、柱状体（２４，３１）　の接合面（３１ｃ，３１ｄ，３１ｅ）　を側断面略Ｚ形または逆Ｚ形に切り欠くので、傾斜接合面（２４ｄ，３１ｄ）　が形成される。そして該傾斜接合面（２４ｄ，３１ｄ）　同士を合わせてビスまたはボルト（６１Ａ）　−ナット（６１Ｂ）　で締結すると、この締め付け力Ｆは該傾斜接合面（２４ｄ，３１ｄ）　に対して横方向に働くが、該傾斜接合面（２４ｄ，３１ｄ）　は鉛直方向より角度αだけ傾斜しているので、垂直方向の分力Ｆｙが発生する。
【０００８】
したがって該一対の柱状部（２４，３１）　のうちどちらか一方の柱状体（２４）を基礎側とすれば、他方の柱状体（３１）はビスまたはボルト（６１Ａ）　−ナット（６１Ｂ）　の締め付け力Ｆによって基礎側に押付けられ、基礎側の柱状体（２４）と強固に接合される。また該Ｚ形状と逆Ｚ形状同士がはまり合うのでグラツキやガタが発生し難くなる。
またビスまたはボルト（６１Ａ）　−ナット（６１Ｂ）　の締結は二箇所のみで十分な接合強度が得られるので、該柱状部（２４，３１）　相互の接合または分離作業が簡単にできる。
【０００９】
【発明の実施の形態】
本発明を図１〜図６に示す一実施例によって説明する。
図１に示す簡易便器（１）　は、簡易便器本体（２）　と、該簡易便器本体（２）　の後端部に取り付けられている背もたれ（３）　と、該該背もたれ（３）　の両側に取り付けられているアームレスト（４）　とからなる。該簡易便器（１）　は通常木製であるが、例えば合成樹脂等で製造されてもよい。
【００１０】
該便器本体（２）　は４本の脚部（２１）と、該脚部（２１）に下面四隅を支持されている角箱形の座部（２２）とからなり、該座部（２２）の上面には便容器（図示しない）が懸架される開口部（２２ａ）　が設けられ、該開口部（２２ａ）　を囲んで便座（２３）が載置され、該便器本体（２）　の上面後端部両側には背もたれ（３）　の脚部（３１）（柱状部）が接合される一対の基礎側柱状部（２４）が立設されている。
【００１１】
該基礎側柱状部（２４）は図２および図３に示すように上端から略逆Ｚ形状に切り欠かれて接合部（２４ｂ）　が形成され、該接合部（２４ｂ）　は上下水平面（２４ｃ，２４ｅ）　とその間の傾斜接合面（α＜９０°）とからなり、該接合部（２４ｂ）　には横方向に例えば２個のボルト貫通孔（２４ｆ）　が設けられている。
【００１２】
該基礎側柱状部（２４）に取り付けられている背もたれ（３）　は一対の脚部（３１）と該一対の脚部（３１）の上端部に差し渡されている背受け部（３２）とからなり、該背受け部（３２）の前面にはクッション（３３）が貼着されている。該脚部（３１）は便器本体（２）　に立設されている該基礎側柱状部（２４）と同一形状の横断面を有する柱状体であり、該脚部（３１）の下端部（３１ｂ）　は図２および図４に示すように下端から略逆Ｚ形に切り欠かれて接合部（３１ｄ）　が形成され、該接合部（３１ｄ）　は上下の水平面（３１ｅ）　とその間の傾斜接合面（３１ｄ）　（α＜９０°）とからなり、該接合部（３１ｂ）　には前記基礎側柱状体（２４）の傾斜接合面（２４ｄ）　のボルト貫通孔（２４ｆ）　に対応して横方向に２個のボルト貫通孔（３１ｆ）　が設けられている。
【００１３】
そして図５に示すように該脚部（３１）の接合部（３１ｂ）　と該基礎側柱状部（２４）の接合部（２４ｂ）　とは相互に嵌め込まれ、該接合部（３１）の傾斜接合面（３１ｄ）　と該接合部（２４）の傾斜接合面（２４ｄ）　とが相互に突き合わされて、逆Ｚ形状と逆Ｚ形状とがはまり合った状態となり、ボルト貫通孔（２４ｆ，３１ｆ）　を介してボルト（６１Ａ）　およびナット（６１Ｂ）　により締結固定されている。
【００１４】
このときボルト（６１Ａ）　とナット（６１Ｂ）　を締め付けると、上述のように締め付け力Ｆは該傾斜接合面（２４ｄ，３１ｄ）　に対して横方向に働き、該傾斜接合面（２４ｄ，３１ｄ）　は鉛直方向より角度αだけ傾斜しているので垂直方向の分力Ｆｙが発生し、該柱状部（２４）と脚部（３１）は強固に接合される。
また該接合部（２４ｂ，３１ｂ）　のＺ形状または逆Ｚ形状同士が噛み合わさってグラツキやガタが発生し難くなる。
【００１５】
表１に本実施例および前記従来例の接合部の曲げ強度を比較した結果を示す。該強度は図７に示すように３００ｍｍの間隔を置いた一対の支持台（７２）に本実施例の接合構造および従来例の接合構造により接合した柱状部（２４，）　と脚部（３，９４）を該接合部が中央に位置するように懸架し、中央に巾１００ｍｍの治具（７１）を載置し（ｌ１＝ｌ２＝ｌ３＝１００ｍｍ）、該治具（７１）に負荷をかけて最大荷重を計測した（実線は厚さ方向、点線は巾方向の測定方法を示す）。
【００１６】
【表１】
2004100730.tif 000003
※従来例の厚さ方向の強度は連結板側から付加した場合の値を示す。
【００１７】
上記表１によれば、従来例に比較して本実施例は曲げ強度が厚さ方向および巾方向において大巾に高くなっている。
【００１８】
該簡易便器（１）　を収納や運搬等する場合は、まず図８に示すように該アームレスト（４）　の支持板（４１）下端を座部（２２）側面に固定しているボルト（６２）を取り外し、該アームレスト（４）　の後端内側側面に突設されているダボ（４２）を背もたれ（３）　の脚部（３１）の外側中央部に設けられているダボ孔（３４）から引き抜いて、該アームレスト（４）　を簡易便器本体（２）　および背もたれ（３）　の両側から取り外す。
【００１９】
次に該背もたれ（３）　の脚部（３１）の下端部（３１ａ）　を締結固定しているボルト（６１Ａ）　およびナット（６１Ｂ）　を取り外し、該背もたれ（３）　を取り外す。該接合部（２４ｂ，３１ｂ）　は側断面Ｚ形または逆Ｚ形であり、水平方向に移動できるので該背もたれ（３）　を横にズラせば簡単に取り外せる。
該簡易便器本体（２）　は略正直方体であるのでスッキリと収納でき、また運搬も楽にできる。
【００２０】
本発明において、接合面の側断面形状は直角を超える角度で噛合する傾斜接合面を有すればよく、例えば図９に示すように接合部（７１，７２）　のコーナー部（７１ａ，７２ｂ，７２ａ，７２ｂ）　にはアールが設けられてもよいし、鋸歯状の接合面でもよい。
【００２１】
【発明の効果】
本発明の接合構造によれば、一対の柱状体を強固に接合でき、接合および／または分離作業も簡単である。該接合構造を基礎に柱状体を取り付ける際に適用すれば、該柱状体を基礎に強固に固定できる。また該接合構造を簡易便器の背もたれの取付けに適用すれば、該背もたれは強固に固定され、便器使用時には該背もたれ部はぐらつく事がなく、収納や運搬時には簡単に取り外しできる。さらに連結板が不要でコストも低くなる。
【図面の簡単な説明】
図１〜図８は本発明の一実施例を示すものである。
【図１】簡易便器斜視図
【図２】簡易便器本体の柱状部と背もたれの脚部の接合構造分解図
【図３】柱状部正面図
【図４】脚部下端部正面図
【図５】簡易便器本体の柱状部と背もたれの脚部の接合構造断面図
【図６】簡易便器本体の柱状部と背もたれの脚部の接合構造説明正面図
【図７】曲げ強度計測方法説明図
【図８】アームレストおよび背もたれ取り外し状態説明斜視図
【図９】他の実施例の簡易便器本体の柱状部と背もたれの脚部の接合構造正面図図１０および図１１は従来例を示すものである。
【図１０】簡易便器斜視図
【図１１】簡易便器本体の柱状部と背もたれの脚部の接合構造分解図
【符号の説明】
１　　　　　　　　　　　　　　簡易便器
２　　　　　　　　　　　　　　便器本体
３　　　　　　　　　　　　　　背もたれ
２４　　　　　　　　　　　　　基礎側柱状部（柱状体）
２４ｃ，２４ｄ，２４ｅ，３１ｃ，３１ｄ，３１ｅ　　　接合面
３１　　　　　　　　　　　　　脚部（柱状体）
６１Ａ　　　　　　　　　　　　　ボルト
６１Ｂ　　　　　　　　　　　　ナット
【図１】
2004100730.tif 000004
【図２】
2004100730.tif 000005
【図３】
2004100730.tif 000006
【図４】
2004100730.tif 000007
【図５】
2004100730.tif 000008
【図６】
2004100730.tif 000009
【図７】
2004100730.tif 000010
【図８】
2004100730.tif 000011
【図９】
2004100730.tif 000012
【図１０】
2004100730.tif 000013
【図１１】
2004100730.tif 000014